(57)【要約】【課題】遊技機の遊技領域等に配置される球検知器を強固に取付けることができる球検知器取付構造を提供すること。【解決手段】球検知器取付構造は、パチンコ遊技機１の遊技領域１０に配置されるスルーチャッカ２に関するもので、遊技領域１０への取付枠２０と、その前方及び後方に形成された鞘部２１と、その後方に突出する係止爪２２を備えた保持鞘２Ａに対し、球検知器２Ｂの球通過ゲート孔部２３が前記取付枠２０の前方の鞘部（前鞘部）２１Ａに納められて保持され、同球検知器２Ｂの端部２ａ，２ｂが前記係止爪２２、その鉤部２４及び抜止部２７に保持される。【選択図】        図１
2004283352.tif 000002
【特許請求の範囲】
【請求項１】
球検知器を取付ける保持殻の鞘部に前記球検知器の球通過ゲート孔部を保持させ、前記鞘部の後端に形成された係止爪の鉤部に前記球検知器の端部を保持させると共に、
前記球検知器を引抜く方向に外力が作用して前記係止爪が撓んだときに、前記引抜方向に略直交する方向で前記球検知器の端部と面接触する抜止部を前記鉤部に設けたことを特徴とする球検知器取付構造。
【請求項２】
前記抜止部は、前記鉤部が前記球検知器の端部に対向する面を返し状に傾斜させた傾斜面を備えてなることを特徴とする請求項１に記載の球検知器取付構造。
【請求項３】
球検知器を取付ける保持殻の鞘部に前記球検知器の球通過ゲート孔部を保持させ、前記鞘部の後端に形成された係止爪の鉤部に前記球検知器の端部を保持させると共に、
前記鉤部に、前記球検知器の端部に対向する面を返し状に傾斜させた傾斜面と為した抜止部を設けたことを特徴とする球検知器取付構造。
【発明の詳細な説明】
【０００１】
【発明の属する技術分野】
本発明は、遊技機、例えばパチンコ遊技機の遊技球を検知する球検知器の取付構造に関する。
【０００２】
【従来の技術】
パチンコ遊技機において、特定のゲームが遊技球のスルーチャッカの通過を条件に開始される場合がある。
このスルーチャッカは、球検知器が所定の支持具を介して遊技領域に取付けられるもので、その取付構造の一例を示せば、次の通りであった。
前記支持具として保持殻が用いられ、その鞘部に前記球検知器の遊技球通過ゲート孔部を挿入し、鞘部の開口に臨ませるように保持させ、前記鞘部の後端に形成された係止爪の鉤部に前記球検知器（単にセンサともいう）の後端部を保持させている（例えば、特許文献１参照）。
【０００３】
【特許文献１】
特開２００１−２８６６１５号公報（第３頁段落００１０、００１４、図１）
【０００４】
【発明が解決しようとする課題】
この取付構造の課題につき、特許文献１と略同一の取付構造を図９に図示して説明する。この取付構造において、前記鉤部Ａは、前記球検知器Ｓの取付方向と逆方向の引抜力Ｔ１に直交する方向で面接触する接触面Ａ１を備えることで、前記球検知器Ｓの抜止めがされている。
しかし、前記球検知器Ｓに対し前記引抜力Ｔ１より偏角した方向の外力Ｔ２が作用すると、球検知器Ｓが前記係止爪Ｂを外側に撓ませる。
球検知器Ｓによる係止爪Ｂへの撓ませ力が強まるに従い、前記球検知器Ｓの隅部Ｓ１と前記係止爪Ｂの鉤部Ａの接触面Ａ１が接触し、係止爪Ｂを外側に撓ませることを促進させる接触状態となり、球検知器Ｓが保持殻Ｃから脱落してしまう場合が想定されていた。
【０００５】
そこで、本願発明は上記課題を解決するため、取付方向と逆方向の引抜力のみならず、取付方向より偏角した方向の外力が作用したとしても、球検知器を抜け難くする球検知器取付構造を提供することを目的とする。
【０００６】
【課題を解決するための手段】
上記課題を解決するため、球検知器を取付ける保持殻の鞘部に前記球検知器の球通過ゲート孔部を保持させ、前記鞘部の後端に形成された係止爪の鉤部に前記球検知器の端部を保持させると共に、前記球検知器を引抜く方向に外力が作用して前記係止爪が撓んだときに、前記引抜方向に略直交する方向で前記球検知器の端部と面接触する抜止部を前記鉤部に設けたことを特徴とする球検知器取付構造とした（請求項１記載の発明）。
ここで、前記抜止部は、その一部が前記球検知器の端部に当接可能であること、一方、前記外力が作用して前記係止爪が撓んだときに、前記球検知器に前記外力の略反対方向に作用する抗力を働かせることができればどのような構成でもよい。
【０００７】
この発明によれば、球検知器の端部が前記係止爪の鉤部に保持されているので、球検知器の取付方向と逆方向の引抜力が作用しても、球検知器を抜け難くする球検知器取付構造となっている。
また、球検知器の取付方向と逆方向の引抜力から偏角された外力が前記球検知器に作用した場合には、保持鞘の係止爪は球検知器に押されてある程度外側に撓むことになるが、係止爪の鉤部の抜止部が、前記外力に略直交する方向で、前記球検知器の端部に面接触する。
その結果、前記係止爪を自由状態に戻すように作用させる反力が、前記抜止部を介して前記保持鞘の鉤部と前記球検知器の端部の接触面へ与えられる。
よって、取付方向と逆方向の引抜力のみならず、それより偏角した方向の外力が作用したとしても、球検知器を抜け難くする球検知器取付構造となっている。
【０００８】
上記発明において、前記抜止部は、前記鉤部が前記球検知器の端部に対向する面を返し状に傾斜させた傾斜面を備えてなることを特徴とする（請求項２に記載の発明）。
返し状に傾斜させた傾斜面、即ち、前記鉤部が前記球検知器に対向する面を、鉤部の先端から其端に従い、徐徐に前記球検知器から距離を取るような傾斜面にしたことで、前記外力により前記係止爪が撓んだときに、前記傾斜面が球検知器の端部に面接触する。
よって、前記傾斜面における前記外力に抗する抗力は大きなものになり、球検知器を強固に保持できる取付構造となっている。
【０００９】
上記課題を解決するため、球検知器を取付ける保持殻の鞘部に前記球検知器の球通過ゲート孔部を保持させ、前記鞘部の後端に形成された係止爪の鉤部に前記球検知器の端部を保持させると共に、前記鉤部に、前記球検知器の端部に対向する面を返し状に傾斜させた傾斜面と為した抜止部を設けたことを特徴とする球検知器取付構造とした（請求項３に記載の発明）。
この発明によれば、球検知器の端部が前記係止爪の鉤部に保持されているので、球検知器の取付方向と逆方向の引抜力が作用しても、球検知器を抜け難くする球検知器取付構造となっている。
また、返し状に傾斜させた傾斜面、即ち、前記鉤部が前記球検知器に対向する面を、鉤部の先端から其端に従い、徐徐に前記球検知器から距離を取るような傾斜面にしたことで、前記外力により前記係止爪が撓んだときに、前記傾斜面が球検知器の端部に面接触する。
よって、取付方向と逆方向の引抜力のみならず、それより偏角した方向の外力が作用したとしても、球検知器を抜け難くする球検知器取付構造となっている。
【００１０】
【発明の実施の形態】
上記発明の実施の形態に係る構成例を図面に基づいて説明する。
図１はスルーチャッカの斜視図、図２及び図３はスルーチャッカを構成する保持鞘の正面側斜視図及び背面側斜視図、図４は同平面図である。
なお、これらの各図、後述の各図において、同一の構成については、同一の符号を付して、重複した説明を省略する。
【００１１】
実施形態に係る球検知器取付構造は、パチンコ遊技機１の遊技領域１０（後述図７参照）に配置されるスルーチャッカ２に関するもので、図１のように遊技領域１０への取付枠２０と、その前方及び後方に形成された鞘部２１と、その後方に突出する係止爪２２を備えた保持鞘２Ａに対し、球検知器２Ｂの球通過ゲート孔部２３が前記取付枠２０の前方の前鞘部２１Ａに納められて保持され、同球検知器２Ｂの端部２ａ，２ｂが前記係止爪２２及びその鉤部２４に保持される。
【００１２】
前記保持鞘２Ａの前鞘部２１Ａは上下方向に開口２５，２５が形成され、これらの開口２５，２５に前記球検知器２Ｂの球通過ゲート孔部２３が臨んでいる。一方、図３のように、前記取付枠２０の後方の後鞘部２１Ｂは、リング状に成形され、そのリング状の開口２６から、前記球検知器２Ｂが挿着されるようになっている。
【００１３】
前記係止爪２２は、前記球通過ゲート孔部２３を前鞘部２１Ａに挿置した状態で、前記球検知器２Ｂの端部２ａに当接可能な寸法に形成され、その先端部に前鉤部２４が形成されている。
【００１４】
この鉤部２４には、図４及びその部分拡大図に示したような抜止部２７が形成されている。
抜止部２７は、前記球検知器２Ｂを引抜く方向に外力が作用して、前記係止爪２２が撓んだときに、前記球検知器２Ｂの端部２ｂに面接触し、その外力の作用方向と略反対方向の抗力を作用させるものである。
この実施形態では、前記鉤部２４の球検知器２Ｂ端部２ｂに対向する面が、その先端から基端に向かうに従い、前記端部２ｂから徐徐に離れるように、返し状に傾斜させている。そして前記抜止部２７は、外力により前記係止爪２２が撓んだときに、前記球検知器２Ｂの端部２ｂに面接触可能な傾斜面となっている。
【００１５】
上記のように構成された係止爪２２は、この実施形態では、図面上、球検知器２Ｂの正面に対して右側に取付けられ、左側・上側・下側に形成するようにしてもよい。
【００１６】
前記球検知器２Ｂとして、通過型近接センサを用いるが、これに限定されることはなく、遊技球の通過を検出できる機能を備えていれば、どのようなセンサでもよい。
【００１７】
この球検知器２Ｂを前記保持鞘２Ａに取付けるには、球検知器２Ｂの切欠きの位置から表裏に注意して、前記後鞘部２１Ｂの開口２６から、前記係止爪２２に沿わせるように、押込み、球検知器２Ｂの端部２ｂを前記鉤部２４に保持させれば良い。
【００１８】
以上のような取付構造を備えたスルーチャッカ２は、前記取付枠２０の裏面に形成された位置決ピン２０ａで、遊技盤１０に位置決めされ、遊技盤１０の取付孔（図示せず）に取付けられて、遊技盤１０に止着されている。
【００１９】
次に、前記保持鞘２Ａと前記球検知器２Ｂとの取付構造の作用効果を図５及び図６に基づいて説明する。
図５は、球検知器２Ｂに対し、外力が作用していない状態（自由状態）での取付構造の平面図を示している。
この状態では、前記係止爪２２の鉤部２４の先端が、前記球検知器２Ｂの端部２ｂに当接されて、前記球検知器２Ｂの動きが規制されている。
よって前記球通過ゲート孔部２３の位置ズレが防止される。
【００２０】
この状態から、図６に示したように、取付方向と反対方向の引抜力Ｔ１より偏角θされた外力Ｔ２が作用した場合には、図６の部分拡大図のように前記係止爪２２は前記球検知器２Ｂに押されてある程度外側に撓むことになるが、前記鉤部２４の抜止部２７が、前記外力Ｔ２方向に略直交する方向で、前記球検知器２Ｂの端部２ｂに面接触する。
その結果、係止爪２２を自由状態に戻すように作用させる反力が、抜止部２７を介して前記保持鞘２Ａの鉤部２４と前記球検知器２Ｂの端部２ｂの接触面へ与えられる。
よって上記球検知器取付構造によれば、引抜力Ｔ１のみならず、その引抜力Ｔ１より偏角θした方向の外力Ｔ２が作用したとしても、前記球検知器２Ｂを抜け難くする構造となっている。
なお、前記外力Ｔ２の方向及び前記偏角θの大きさは、例示であって、図示された方向及び角度に限定されるものではない。
【００２１】
前記スルーチャッカ２は、パチンコ遊技機１の遊技盤１０において、始動通過ゲート１２として配置されている。
即ち、図７に図示する遊技盤１０には、一般入賞口１１Ａ〜１１Ｄ、始動通過ゲート１２、始動入賞口１３、大入賞口１４、普通図柄表示装置１５、特別図柄表示装置１６が配置されている。
そして遊技領域１０に打ち込まれた遊技球が前記始動通過ゲート１２を通過すると、普通図柄表示装置１５により普通図柄表示ゲームが行われ、その結果に基づき、前記始動入賞口１３が開き、その入賞に基づき特別図柄表示装置１６により特別図柄表示ゲームが行われ、特定の図柄が揃うと「大当たり」となり、前記大入賞口１４が開閉され、賞球獲得のチャンスが増大する。
【００２２】
このような遊技状態は、図８に示すような遊技制御回路によって制御されている。
この遊技制御回路は、遊技の主制御を行う遊技制御手段３を備え、この遊技制御手段３には、前記始動通過ゲート１２の遊技球の通過を検出する始動入賞玉検知器１２ａ、各入賞口１１Ａ〜１１Ｄ、１３、１４への遊技球の入賞数をカウントする入賞個数検知器１１ａ、始動入賞口１３への遊技球の入賞を検出する特定入賞玉検知器１３ａからの信号を、それぞれ検出する検出回路３Ａ、スピーカ２０を接続すると共に、前記遊技制御手段３からの制御信号に基づいて音声制御を行う音声制御手段３Ｂ、前記普通図柄表示装置１５、前記特別図柄表示装置１６、装飾ＬＥＤ１７ａ、装飾ランプ１７ｂ、始動入賞記憶表示器１８ａ、入賞個数表示器１８ｂ等を接続すると共に、前記遊技制御手段３からの制御信号に基づいての前記各表示器の表示制御を行う表示制御手段３Ｃ、前記始動入賞口１３の開閉を行うソレノイド１３ｂ、前記大入賞口１４の開閉を行うソレノイド１４ｂを接続すると共に、前記遊技制御手段３からの制御信号に基づいて、各ソレノイドの動作制御を行うソレノイド駆動回路３Ｄが接続されている。
【００２３】
上記実施形態に係る球検知器取付構造は、前記始動通過ゲート１２に用いられているが、前記入賞個数検知器１１ａ、特定入賞玉検知器１３ａに用いても良い。
よって、上記球検知器取付構造を採用することで、球検知器が強固に取付けられ、遊技球が確実、正確に検出されることになる。
【００２４】
上記実施形態に係る球検知器取付構造の抜止部２７は、上記返し状の傾斜面のほか、前記球検知器２Ｂの端部２ｂに対向する面を逆Ｕ字状、逆Ｖ状に形成して構成してもよい。
【００２５】
前記実施形態では、弾球遊技機のパチンコ機について説明したが、パチスロ機、その他の遊技機に上記取付構造を採用することで、同様の作用効果を奏することができる。
【００２６】
【発明の効果】
本願発明に係る球検知器取付構造によれば、取付方向と逆方向の引抜力のみならず、その引抜力より偏角した方向の外力が作用したとしても、球検知器を抜け難くする球検知器取付構造を提供することができる。
【図面の簡単な説明】
【図１】実施形態に係るスルーチャッカの斜視図、
【図２】同スルーチャッカを構成する保持鞘の正面側斜視図、
【図３】同スルーチャッカを構成する保持鞘の背面側斜視図、
【図４】同スルーチャッカを構成する保持鞘の平面図、
【図５】同スルーチャッカの作用説明図、
【図６】同スルーチャッカの作用説明図、
【図７】実施形態に係るスルーチャッカを用いた遊技盤の正面図、
【図８】同遊技盤の制御ブロック図、
【図９】従来例図。
【符号の説明】
１  遊技機                          １０  遊技盤
１１Ａ〜１１Ｄ  一般入賞口          １１ａ  入賞個数検知器
１２  始動通過ゲート                １３  始動入賞口
１２ａ  始動入賞玉検知器            １３ａ  特定入賞玉検知器
１３ｂ  ソレノイド
１４  大入賞口
１４ｂ  ソレノイド
１５  普通図柄表示装置
１６  特別図柄表示装置              １７  遊技領域
１７ａ  装飾ＬＥＤ                  １７ｂ  装飾ランプ
１８  裏面                          １８ａ  始動入賞記憶表示器
１８ｂ  入賞個数表示器
２  スルーチャッカ
２Ａ  保持鞘                        ２Ｂ  球検知器
２０  取付枠
２１  鞘部                          ２１Ａ  前鞘部
２１Ｂ  後鞘部
２２  係止爪                        ２３  球通過ゲート孔部
２４  鉤部                          ２５，２５  開口
２６  開口
２７  抜止部
３  遊技制御手段                    ３Ａ  検出回路
３Ｂ  音声制御手段                  ３Ｃ  表示制御手段
３Ｄ  ソレノイド駆動回路
【図１】
2004283352.tif 000003
【図２】
2004283352.tif 000004
【図３】
2004283352.tif 000005
【図４】
2004283352.tif 000006
【図５】
2004283352.tif 000007
【図６】
2004283352.tif 000008
【図７】
2004283352.tif 000009
【図８】
2004283352.tif 000010
【図９】
2004283352.tif 000011